(57)【要約】【課題】  幼児がボールの投入口に手を深く突っ込んで抜けなくなっても、その場で、簡単かつ確実に、その手を抜き出すことができるボール投入玩具を得ること。【解決手段】  ボールの投入口１４と出口４１を玩具本体１０に備えたボール投入玩具において、幼児の手が挿入可能な内径をもつボール投入口１４と出口４１の少なくとも一方を、玩具本体１０に着脱できるように形成したこと。【選択図】図１
2008073465.tif 000002
【特許請求の範囲】
【請求項１】
ボールの投入口と出口を玩具本体に備えたボール投入玩具において、幼児の手が挿入可能な内径をもつボール投入口と出口の少なくとも一方を、玩具本体に着脱できるように形成したことを特徴とするボール投入玩具。
【請求項２】
前記投入口と出口の少なくとも一方が、互いに連結された複数の通路部材によって構成されている請求項１に記載のボール投入玩具。
【請求項３】
前記通路部材の各々が、ボール通路を形成するとき、互いに嵌り合う凸出部と凹み部とによって連結されている請求項２に記載のボール投入玩具。
【請求項４】
前記通路部材が、ボール通路を形成してスリーブに嵌め込まれ、スリーブを介して玩具本体に取り付けられている請求項２又は３に記載のボール投入玩具。
【請求項５】
前記通路部材の各々が、スリーブに結合するためのラッチを備えている請求項４に記載のボール投入玩具。
【請求項６】
スリーブがバヨネット継ぎ手によって玩具本体に位置決めされている請求項４又は５に記載のボール投入玩具。
【発明の詳細な説明】
【技術分野】
【０００１】
本発明は、ボール状の球体（以下、単にボールという）を幼児が投入して遊ぶボール投入玩具に関する。
【背景技術】
【０００２】
この種の幼児用玩具としては、例えば、ボールを投入口から入れると玩具本体が動き回り、ボールが玩具本体から排出されると動きが止まる動物形態をもつもの、上部から投入されたボールがチャイムの形態をなす玩具本体内部を垂直旋回して下部から排出されるもの、横から投入されたボールが玩具本体の透明部分の内部を水平旋回して排出されるもの、ブロックのように様々なパーツを使ってコースを組み立て、上部から落とされたボールをコースに沿って転がすものなどが提案されている。
【０００３】
例えば、動物の形態をもつボール投入玩具では、漫画化したアヒル状の外観をもつ玩具本体の頭部に設けた投入口にボールを入れると、そのボールが玩具本体内のボール通路を通って、胴体内部にある皿に落ち、皿の上を数回回転した後、尾部に設けた出口から排出されるようになっている。この玩具では、投入したボールがボール通路に設けたスイッチを押すことにより、電動機を作動させて動物形態の玩具本体を走行させ、ボールが尾部の出口から排出されるとき、そのボールが通路部材の出口にあるスイッチを押して、電動機を止めるようになっている（例えば特許文献１を参照）。
【０００４】
これらの玩具の大半は、５歳以下の幼児を対象としている。５才以下の幼児は体が柔らかく、大人が想定しない事故を起こすことがある。例えば、動物形態のもつボール投入玩具の場合、幼児がボール投入孔や皿を旋回するボールに興味を引き、手をボール投入口に深く入れてしまい、手が抜けなくなる恐れがある。このような事態が生じると、恐れと痛さで泣きわめく幼児を病院に連れて行き、ボール投入玩具を壊してもらい、手を抜き出さなければならない。このような事態は玩具の設計時には殆んど想定することができない。
【特許文献１】特開２００３−５３０５２号公報
【発明の開示】
【発明が解決しようとする課題】
【０００５】
本発明は、このようなボール投入玩具の現状に鑑み、幼児がボールの投入口に手を深く突っ込んで抜けなくなっても、その場で、簡単かつ確実に、その手を抜き出すことができるボール投入玩具を得ることを、その課題とする。
【課題を解決するための手段】
【０００６】
上記の課題を解決することを目的としてなされた本発明ボール投入玩具の構成は、ボールの投入口と出口を玩具本体に備えたボール投入玩具において、幼児の手が挿入可能な内径をもつボール投入口と出口の少なくとも一方を、玩具本体に着脱できるように形成したことを特徴とするものであ。
【０００７】
本発明では、上記構成において、ボール投入口か出口の少なくとも一方が、互いに連結された複数の通路部材によって構成されている。また、通路部材の各々が、ボール通路を形成したときに、互いに嵌り合う凸出部と凹み部とによって連結されている。ここで、通路部材は、ボール通路を形成してスリーブに嵌め込まれ、スリーブを介して玩具本体に取り付けられている。また、スリーブに結合するためのラッチを備えており、さらに、スリーブはバヨネット継ぎ手によって玩具本体に位置決めされるようになっている。
【０００８】
本発明では、上記構成において、ボール投球口又は出口の一方が、複数の通路部材によって構成され、一部の通路部材が玩具本体と一体に形成され、残余が玩具本体に着脱可能に構成されてもよい。
【発明の効果】
【０００９】
本発明ボール投入玩具は、幼児の手が挿入可能な内径をもつボール投入口を玩具本体に備えるボール投入玩具において、ボールの投入口が出口の一方を、玩具本体から着脱可能に形成しているため、幼児が手を深く突っ込んでも、その場で、簡単かつ確実に、手を抜き出すことができる。
【００１０】
すなわち、幼児がボール投球口や玩具本体内のボールの動きなどに興味を強く引かれ、ボール投入口から手を深く差し込み、手がそこから抜けでなくなっても、その投入口を玩具本体から分離して分解することができるので、玩具から手が抜けなくなるという幼児が抱く恐怖感を小さくすることができ、大人にとっても大きな安心感を得ることができる。手の離脱は、ボールの投入口を形成している部材が小さいので、親などの保護者が簡単に手を引き出すことができる。
【００１１】
本発明において、ボール通路の投入口が、互いに連結された複数の通路部材によって構成されていると、幼児が投入口から手を抜くとき、投入口を形成している部材を分解することにより、簡単に手を投入口から離脱することができる。
【発明を実施するための最良の形態】
【００１２】
以下、添付図を参照して、本発明ボール投入玩具の実施の形態例を説明する。実施の態様例として説明する図１のボール投入玩具は、カメの形態にデザインされた玩具本体とボールからなり、頭部に設けた投入口（入口）からボールを投入することによって、玩具本体が動き回り（走行し）、そのボールが尾部に設けた出口から排出されると、玩具本体が停止するようになっている。
【００１３】
添付図において、図１は本発明ボール投入玩具の実施形態の一例を示す斜視図、図２は図１の２−２線に沿うボール投入口部分の縦断面図、図３は図２の３−３線に沿う平断面図、図４は図３の４−４線に沿う拡大正面図、図５は図２の５−５線に沿う断面図、図６は手を玩具本体から抜き出した状態を示す説明図、図７は図１の矢印６方向から見たボールの出口部分の斜視図、図８は図７の８−８線に沿う断面図である。
【００１４】
図１は、本発明を適用するボール投入玩具の全体構成を示している。玩具本体は、参照符号１０で示されており、この例では全体がカメの形に形成された合成樹脂成型品である。玩具本体自体は、頭部１１及び胴部１２、脚に代わる四個の車輪１３、それに、頭部１１の下方（首部と胴部の境界部の下方）に一個の駆動輪（図示せず）を備えている。
【００１５】
ボール５０は、合成樹脂を成形加工した、中空球状のものからなっており、一個又は色彩の異なる複数個からなる。
【００１６】
このボール投入玩具では、ボール５０を玩具本体１０の頂部にあるボール投入口である入り口１４に投入すると、これに続くボール通路１５を通って胴部１２の中に導かれ、偏向板１６によって透明な甲羅の内部にある皿１７を周縁から中心に向かって複数回旋回し、皿１７の中央にある皿孔１８からボール通路１９を通って後方（尾部）に設けたボール出口から外部に排出される。
【００１７】
玩具本体１０の内部には、頭部１１の下方にある駆動輪を動かし、かつ制御する駆動ユニット及び駆動ユニットに電力を供給する電池ユニットが組み込まれている。駆動ユニットは、ボール５０が甲羅に向かうときに、ボール通路１５にあるスイッチを押すことによって電池ユニットに接続され、駆動ユニット内の電動機が駆動輪を回転させ、玩具本体１０を動かし、ボール５０がボール通路１９を通るときに、ここに配置されたスイッチを押して、駆動ユニットと電池ユニットの接続を切り離し、玩具本体１０を停止させるようになっている。
【００１８】
ボール５０を投入する入り口１４は、図２，図３に示すように、筒体を二分した態様の二つの通路部材２１，２１’とこれらの通路部材２１，２１’を筒状に保って保持するスリーブ３１とからなる。
【００１９】
通路部材２１，２１’は、組み合わせることによって一つの円筒を形成する半円筒状の部材である。
【００２０】
ここで、通路部材２１は、図２に示すように、内外壁２２，２３を上壁２４で接続し、下端を開放した二重円筒状のものからなる。図３に示すように、内壁２２の一方の端縁には平面Ｌ字状にすることによって形成された凹み部２２ａを、外壁２３の反対側端縁には平面Ｌ字状にすることによって形成された凹み部２３ａを一体成形で具備している。通路部材２１’も上部部材２１と同じ構成を具備している。
【００２１】
これらの通路部材２１，２１’は、組み合わせると、内壁２２の端縁にある凹み部２２ａが内壁２２’の端縁である凸出部に嵌り、内壁２２の他方の端縁が凸出部となって内壁２２’の端縁にある凹み部２２ａ’に嵌ると共に、外壁２３の端縁である凸出部が外壁２３’の端縁にある凹み部２３ａ’に嵌り、外壁２３の反対側端縁にある凹み部２３ａが外壁２３’の端縁である凸出部に嵌り込み、同時に、凹み部２２ａを形成する円筒壁と凹み部２３ａ’を形成する円筒壁、それに凹み部２３ａと凹み部２２ａ’とが接触して、一つの強固な円筒を形成する。このとき、内壁２２，２２’は、所定の内径のボール通路１５を形成するが、外壁２３と外壁２３’との間には隙間２６を形成する。
【００２２】
スリーブ３１は、一分材からなり、内外壁３２，３３を上壁３４で接続し、下端を開放し二重円筒状のものからなる。内壁３２の内径は、通路部材２１，２１’が形成する外壁２３，２３’の直径よりも僅かに大きい。通路部材２１，２１’は、このスリーブ３１に嵌め込まれ、直径方向の動きが規制される。このとき、内壁３２と一体成型された突出３６が通路部材２１，２１’の外壁２３，２３’の端縁間に形成された隙間２６に嵌り込み、径方向の位置決めをする。
【００２３】
通路部材２１，２１’の外壁２３，２３’の下方にはラッチ２７，２７’が形成されている。図４は、ラッチ２７を正面から見た詳細を示しており、外壁２３，２３’にスリット２８を形成し、スリット２８に挟まれた部分に突起２７ａを一体成形されている。通路部材２１’のラッチ２７’も同様に構成されている。
【００２４】
通路部材２１，２１’をスリーブ３１に嵌め込むと、ラッチ２７の突起２７ａがスリーブ３１の内壁３２の下端に嵌り込み、上壁２４のフランジがスリーブ３１の上壁３４に圧着して通路部材２１，２１’の上下方向の位置決めを行うことができる。
【００２５】
この通路部材２１，２１’とスリーブ３１との合体物は、玩具本体１０の頭部１１の頂部にあり、ボール通路１５に接続する開口周囲にある座板２０の環状突起２０ａに嵌め込まれていると共に、バヨネット継ぎ手によって、玩具本体１０の頭部１１に装着される。このために、スリーブ３１の外壁３３の下端には、Ｌ字状の突起３５が一体成形され、玩具本体１０の座板２０には、図５に示すように、突起３５の嵌る開口３７が設けられている。スリーブ３１は、突起３５を開口３７に嵌め、スリーブ３１を水平回転することによって、座板２０における開口３７の縁が突起３５の溝３５ａに嵌り込み、位置を固定される。
【００２６】
スリーブ３１と座板２０との接続部分はリング状の化粧環３８によって隠されている。この化粧環３８は、リング状のもので、下端を玩具本体１０の頭部１１に接触させて座板２０に嵌め込まれていると共に、内表面にある突起を座板２０の周面にある浅溝に嵌め込むことによって位置決めされている。
【００２７】
本発明によるボール投入玩具は、前述のように、ボール５０を玩具本体１０の入り口１４に投入することによって、ボール通路１５にある駆動ユニットのスイッチ３９が入り、玩具本体１０が動き回り、ボール５０が排出されると、ボール通路１９にあるスイッチが切れて、玩具本体１０が停止する。
【００２８】
幼児は、このようなボールの動きだけでなく、玩具本体１０の胴部１２にある透明な甲羅内部の皿１７の上でぐるぐる水平旋回するボール５０やボール５０の入り口１４及び出口などにも興味を持ち、その他の興味などから、自分の手を入り口１４又はボールの出口に深く差し込むことがある。ことに５才未満の幼児の体は柔らかいため、大人が想定し得ない状況での事故を発生することがあり、その一つとして自分の手が玩具本体１０から抜け出せなくなる恐れがある。
【００２９】
このような事態が生じたとき、本発明を適用したボール投入玩具では、スリーブ３１を逆転することで、スリーブ３１が通路部材２１，２１’と一緒に玩具本体１０から外れ、手を玩具本体１０から抜くことができる。さらに、ラッチ２７を外すことで、図６に示すように、スリーブ３１を通路部材２１，２１’から外すことができ、スリーブ３１の内径が通路部材２１，２１’の外形よりも大きいため、スリーブ３１を手Ｈから簡単に抜くことができる。そして、手Ｈに残った通路部材２１，２１’は左右に割ることによって、手Ｈから外すことができる。
【００３０】
従来のボール投入玩具では、上記のような事故が発生すると、恐怖と痛さで泣きわめく幼児を病院に連れて行き、玩具本体を破壊して手を抜き出しているが、本発明によれば、医者などの助けなしに、迅速にかつ簡単に手を玩具本体から抜き出すことができて、きわめて安全である。
【００３１】
さらに、このボール投入玩具では、玩具本体１０の後方にあるボール５０の出口に手を突っ込んで抜けなくなっても、簡単に手を抜くことができるようにしているので、以下、この点について述べる。
【００３２】
図７に示すように、ボール通路１９におけるボールの出口４１は、複数の通路部材４２，４２’によって構成されている。一方の通路部材４２’は玩具本体１０に一体となるように固定されているが、他方の通路部材４２が玩具本体１０に着脱可能になっている。
すなわち、ボール５０の出口４１の一部は、玩具本体１０から離脱可能な通路部材４２によって構成されている。一方の通路部材４２は、半円筒状の合成樹脂成型物からなり、玩具本体１０の一部を形成する外装部材４３がねじ止めされている。
他方の通路部材４２’は、玩具本体１０の一部を構成するボール通路１９の下方を、通路部材４２に合わせて切欠された半円筒状のものからなっている。図８に示すように、この切欠における縁部４４’には、通路部材４２の側縁が嵌る段部４５’と、通路部材４２の後端縁が嵌る段部４５ａ’とを形成されている。
【００３３】
一方の通路部材４２は、側縁を切欠の段部４５’に合わせて押し込み、後端縁が段部４５ａ’に嵌り込むことで、出口４１を形成している。固定は、外装部材４３の後端から延びる断面Ｌ字状のラッチ４６が、一方の通路部材４２が他方の通路部材４２’に嵌り込んだときに、玩具本体１０にある溝４７に嵌ることによってなされている。
【００３４】
幼児が、ボール５０に出口４１に深く手を突っ込み、抜けなくなっても、自分で又は大人の助力によって、手を手前に引くと、ラッチ４６が溝４７から外れ、手と一緒に通路部材４２と外装部材４３とを玩具本体１０から抜き出することができるので、通路部材４２と外装部材４３とを手から離脱させることができ、従ってきわめて安全に手を出口４１から抜くことができる。
【００３５】
以上説明した実施の形態において、通路部材２１，２１’は、サイズに応じて、より多くの数からなっていててもよく、連結も通路部材２１，２１’の端縁である突出及び凹み２２ａ，２２ａ’，２３ａ，２３ａ’以外の手段を採用することができる。
【００３６】
また、通路部材２１，２１’はスリーブ３１を介在して玩具本体１０に装着されているが、玩具本体１０のサイズや形状などに応じて、直接玩具本体に装着するようにして、ス
【産業上の利用可能性】
【００３７】
本発明は以上の通りであって、ボールを投入して遊ぶボール投入玩具のボール投入口又は出口を、玩具本体に対して分離できる複数の部材によって形成すると共に、当該部材を分離可能に結合してボール投入口又は出口としたので、幼児が投入口又は出口に手を差込んで抜けなくなっても、その投入口又は出口を玩具本体から取り外してから当該投入口又は出口を分離して手を開放するようにしたので、きわめて安全かつ容易に手を引出すことが可能になる。
【図面の簡単な説明】
【００３８】
【図１】本発明ボール投入玩具の実施形態の一例を示す斜視図。
【図２】図１の２−２線に沿うボール投入口部分の縦断面図。
【図３】図２の３−３線に沿う平断面図。
【図４】図３の４−４線に沿う拡大正面図。
【図５】図２の５−５線に沿う断面図。
【図６】手を玩具本体から抜き出した状態を示す説明図。
【図７】図１の矢印６方向から見たボールの出口部分の斜視図。
【図８】図７の８−８線に沿う断面図。
【符号の説明】
【００３９】
１０              玩具本体
１１              頭部
１２              胴部
１３              車輪
１４              入り口
１５              ボール通路
１６              偏向板
１７              皿
１８              皿孔
１９              ボール通路
２０              座板
２１，２１’      通路部材
２２，２２’      内壁
２２ａ，２２ａ’  凹み部
２３，２３’      外壁
２３ａ，２３ａ’  凹み部
２４，２４’      上壁
２６              隙間
２７，２７’      ラッチ
２７ａ            突起
２８              スリット
３１              スリーブ
３２              内壁
３３              外壁
３４              上壁
３５              突起
３５ａ            溝
３６              凸出部
３７              開口
３８              化粧環
３９              スイッチ
４１              出口
４２，４２’      通路部材
４３              外装部材
４４’            縁部
４５’            段
４５ａ’          段
４６              ラッチ
４７              溝
５０              ボール
【図１】
2008073465.tif 000003
【図２】
2008073465.tif 000004
【図３】
2008073465.tif 000005
【図４】
2008073465.tif 000006
【図５】
2008073465.tif 000007
【図６】
2008073465.tif 000008
【図７】
2008073465.tif 000009
【図８】
2008073465.tif 000010